(57)【要約】【課題】端末装置の接続を簡便に行う。【解決手段】会議システムは、共有情報を出力可能な電子機器と、端末装置とを備え、電子機器は、音波を出力する音波出力部と、自装置を識別する装置識別情報を、音波に変換して、音波出力部から出力させる出力処理部とを備え、端末装置は、音波出力部から出力された音波を収音する収音部と、収音部が音波を収音した音信号から装置識別情報を抽出し、抽出した装置識別情報に基づいて、端末装置を電子機器に、無線通信により接続させる接続処理部とを備える。【選択図】図３
2020137095.tif 000002
【特許請求の範囲】
【請求項１】
共有情報を出力可能な電子機器と、端末装置とを備え、
前記電子機器は、
音波を出力する音波出力部と、
自装置を識別する装置識別情報を、前記音波に変換して、前記音波出力部から出力させる出力処理部と
を備え、
前記端末装置は、
前記音波出力部から出力された前記音波を収音する収音部と、
前記収音部が前記音波を収音した音信号から前記装置識別情報を抽出し、抽出した前記装置識別情報に基づいて、前記端末装置を前記電子機器に、無線通信により接続させる接続処理部と
を備える会議システム。
【請求項２】
前記共有情報を表示する共有表示装置をさらに備え、
前記電子機器は、
前記音波出力部から独立して設けられ、音声を含む可聴域の音を出力する音声出力部と、
ネットワークを介して相手先装置から取得した音信号に基づく音を、前記音声出力部から出力させるとともに、前記端末装置から取得した情報を前記ネットワークを介して前記相手先装置に送信し、前記取得した情報を前記共有情報として、前記共有表示装置に表示させる会議処理部と
をさらに備える請求項１に記載の会議システム。
【請求項３】
前記会議処理部は、前記相手先装置から取得した音信号に、前記音波の周波数領域を低減するフィルタリング処理を実行して、前記音声出力部から出力させる
請求項２に記載の会議システム。
【請求項４】
前記電子機器は、複数の前記音波出力部を備え、
前記複数の音波出力部は、円周を前記複数により均等に分割する円周上の位置に配置されている
請求項１から請求項３のいずれか一項に記載の会議システム。
【請求項５】
前記音波は、音として耳に感じない周波数である１８ｋＨｚ（キロヘルツ）から２０ｋＨｚである
請求項１から請求項４のいずれか一項に記載の会議システム。
【請求項６】
前記音波出力部は、平板型のスピーカである
請求項１から請求項５のいずれか一項に記載の会議システム。
【請求項７】
接続処理部は、
前記端末装置が、前記収音部が前記音波を収音した音信号からノイズを除去するフィルタ部を備える場合に、前記収音部が前記音波を収音する所定の期間、前記フィルタ部の動作を停止させる
請求項１から請求項６のいずれか一項に記載の会議システム。
【請求項８】
前記電子機器は、
自装置が起動又は再起動された場合、及び新しい会議が開始された場合の少なくともいずれかの場合に、前記装置識別情報を変更する
請求項１から請求項７のいずれか一項に記載の会議システム。
【請求項９】
前記装置識別情報は、前記電子機器を管理する管理サーバによって、重複しないように生成され、
前記電子機器は、前記管理サーバから前記装置識別情報を取得する
請求項１から請求項８のいずれか一項に記載の会議システム。
【請求項１０】
音波を出力する音波出力部と、
自装置を識別する装置識別情報を、前記音波に変換して、前記音波出力部から出力させる出力処理部と
を備え、
前記音波を収音した音信号から抽出した前記装置識別情報に基づいて、外部装置によって無線通信により接続される
電子機器。
【請求項１１】
電子機器と、外部装置との間の接続方法であって、
前記電子機器が、自装置を識別する装置識別情報を、音波に変換して、音波出力部から出力させるステップと、
前記外部装置が、前記音波を収音部によって収音した音信号から前記装置識別情報を抽出し、抽出した前記装置識別情報に基づいて、前記外部装置を前記電子機器に、無線通信により接続させるステップと
を含む接続方法。
【発明の詳細な説明】
【技術分野】
【０００１】
本発明は、会議システム、電子機器、及び接続方法に関する。
【背景技術】
【０００２】
近年、会議に出席した出席者の端末装置から共通の表示装置に、情報を表示して共有する会議システムが知られている（例えば、特許文献１を参照）。
【先行技術文献】
【特許文献】
【０００３】
【特許文献１】特開平５−５６４２５号公報
【発明の概要】
【発明が解決しようとする課題】
【０００４】
しかしながら、上述したような会議システムでは、ネットワークを介して、各端末装置を接続する場合に、例えば、接続先を手動で指定して接続する必要があり、接続の処理が煩雑であった。
【０００５】
本発明は、上記問題を解決すべくなされたもので、その目的は、端末装置の接続を簡便に行うことができる会議システム、電子機器、及び接続方法を提供することにある。
【課題を解決するための手段】
【０００６】
上記問題を解決するために、本発明の一態様は、共有情報を出力可能な電子機器と、端末装置とを備え、前記電子機器は、音波を出力する音波出力部と、自装置を識別する装置識別情報を、前記音波に変換して、前記音波出力部から出力させる出力処理部とを備え、前記端末装置は、前記音波出力部から出力された前記音波を収音する収音部と、前記収音部が前記音波を収音した音信号から前記装置識別情報を抽出し、抽出した前記装置識別情報に基づいて、前記端末装置を前記電子機器に、無線通信により接続させる接続処理部とを備える会議システムである。
【０００７】
また、本発明の一態様は、上記の会議システムにおいて、前記共有情報を表示する共有表示装置をさらに備え、前記電子機器は、前記音波出力部から独立して設けられ、音声を含む可聴域の音を出力する音声出力部と、ネットワークを介して相手先装置から取得した音信号に基づく音を、前記音声出力部から出力させるとともに、前記端末装置から取得した情報を前記ネットワークを介して前記相手先装置に送信し、前記取得した情報を前記共有情報として、前記共有表示装置に表示させる会議処理部とをさらに備えるようにしてもよい。
【０００８】
また、本発明の一態様は、上記の会議システムにおいて、前記会議処理部は、前記相手先装置から取得した音信号に、前記音波の周波数領域を低減するフィルタリング処理を実行して、前記音声出力部から出力させるようにしてもよい。
【０００９】
また、本発明の一態様は、上記の会議システムにおいて、前記電子機器は、複数の前記音波出力部を備え、前記複数の音波出力部は、円周を前記複数により均等に分割する円周上の位置に配置されているようにしてもよい。
【００１０】
また、本発明の一態様は、上記の会議システムにおいて、前記音波は、音として耳に感じない周波数である１８ｋＨｚ（キロヘルツ）から２０ｋＨｚであってもよい。
【００１１】
また、本発明の一態様は、上記の会議システムにおいて、前記音波出力部は、平板型のスピーカであってもよい。
【００１２】
また、本発明の一態様は、上記の会議システムにおいて、接続処理部は、前記端末装置が、前記収音部が前記音波を収音した音信号からノイズを除去するフィルタ部を備える場合に、前記収音部が前記音波を収音する所定の期間、前記フィルタ部の動作を停止させるようにしてもよい。
【００１３】
また、本発明の一態様は、上記の会議システムにおいて、前記電子機器は、自装置が起動又は再起動された場合、及び新しい会議が開始された場合の少なくともいずれかの場合に、前記装置識別情報を変更するようにしてもよい。
【００１４】
また、本発明の一態様は、上記の会議システムにおいて、前記装置識別情報は、前記電子機器を管理する管理サーバによって、重複しないように生成され、前記電子機器は、前記管理サーバから前記装置識別情報を取得するようにしてもよい。
【００１５】
また、本発明の一態様は、音波を出力する音波出力部と、自装置を識別する装置識別情報を、前記音波に変換して、前記音波出力部から出力させる出力処理部とを備え、前記音波を収音した音信号から抽出した前記装置識別情報に基づいて、外部装置によって無線通信により接続される電子機器である。
【００１６】
また、本発明の一態様は、電子機器と、外部装置との間の接続方法であって、前記電子機器が、自装置を識別する装置識別情報を、音波に変換して、音波出力部から出力させるステップと、前記外部装置が、前記音波を収音部によって収音した音信号から前記装置識別情報を抽出し、抽出した前記装置識別情報に基づいて、前記外部装置を前記電子機器に、無線通信により接続させるステップとを含む接続方法である。
【発明の効果】
【００１７】
本発明の上記態様によれば、端末装置の接続を簡便に行うことができる。
【図面の簡単な説明】
【００１８】
【図１】本実施形態による会議システムの構成例を示す図である。
【図２】本実施形態における会議装置の主要なハードウェア構成の一例を示す図である。
【図３】本実施形態による会議システムの一例を示す機能ブロック図である。
【図４】本実施形態における会議装置の内部構成の一例を示す斜視図である。
【図５】本実施形態における会議装置のスピーカの配置例を示す図である。
【図６】本実施形態におけるオーディオシステムの構成例を示す図である。
【図７】本実施形態による会議システムの動作の一例を示す図である。
【図８】本実施形態における端末装置の動作の一例を示すフローチャートである。
【図９】本実施形態における端末装置の接続処理の表示例を第１の図である。
【図１０】本実施形態における端末装置の接続処理の表示例を第２の図である。
【図１１】本実施形態における端末装置の接続処理の表示例を第３の図である。
【図１２】本実施形態による会議システムの情報共有の表示例を示す図である。
【発明を実施するための形態】
【００１９】
以下、本発明の一実施形態による会議システム、電子機器、及び接続方法にゆいて、図面を参照して説明する。
【００２０】
図１は、本実施形態による会議システム１００の構成例を示す図である。
図１に示すように、会議システム１００は、会議装置１と、共有表示装置２と、端末装置４とを備える。会議装置１と、端末装置４とは、ネットワークＮＷ１を介して接続される。
なお、図１において、説明の都合上、会議システム１００は、１台の端末装置４を備える例を記載しているが、複数の端末装置４を備えていもよい。
【００２１】
会議装置１（電子機器の一例）は、例えば、会議室に設置された会議用の装置であり、例えば、無線ＬＡＮ（Local Area Network）を介して、端末装置４に接続可能である。また、会議装置１は、例えば、共有表示装置２に接続されており、会議で使用する共有情報（例えば、説明資料やプレゼンテーションの資料など）を共有表示装置２に表示させる。すなわち、会議装置１は、端末装置４からネットワークＮＷ１を介して取得した共有情報を、共有表示装置２に出力する。なお、会議装置１の詳細な構成については、後述する。
【００２２】
共有表示装置２は、例えば、液晶ディスプレイなどの会議室に配置されている大画面の表示装置である。共有表示装置２は、会議装置１から供給された共有情報を表示する。共有表示装置２は、共有情報として、例えば、画面Ｇ１のような端末装置４が表示している画面を表示する。
端末装置４は、例えば、ノートＰＣ（パーソナルコンピュータ）などの携帯端末であり、会議の際に、利用者が使用し、説明資料などの共有情報を自装置で表示するとともに、共有情報を共有のために会議装置１に送信する。
【００２３】
次に、図２を参照して、会議装置１の主要なハードウェア構成について説明する。
図２は、本実施形態における会議装置１の主要なハードウェア構成の一例を示す図である。
【００２４】
図２に示すように、会議装置１は、主要なハードウェア構成として、ＣＰＵ１１と、メインメモリ１２と、チップセット２０と、ＢＩＯＳメモリ２１と、ＳＳＤ２２と、ＵＳＢコネクタ２３と、オーディオシステム２４と、マイク２５と、音声スピーカ２６と、音波スピーカ２７と、ビデオシステム２８と、ビデオ入出力部２９と、ＷＬＡＮカード３０と、ＥＣ３１と、スイッチ部３２と、電源回路３３とを備える。
【００２５】
ＣＰＵ（Central Processing Unit）１１は、プログラム制御により種々の演算処理を実行し、会議装置１全体を制御している。
メインメモリ１２は、ＣＰＵ１１の実行プログラムの読み込み領域として、又は、実行プログラムの処理データを書き込む作業領域として利用される書き込み可能メモリである。メインメモリ１２は、例えば、複数個のＤＲＡＭ（Dynamic Random Access Memory）チップで構成される。この実行プログラムには、ＯＳ、周辺機器類をハードウェア操作するための各種デバイスドライバ、各種サービス／ユーティリティ、アプリケーションプログラム（以下、アプリケーションという）等が含まれる。
【００２６】
チップセット２０は、ＵＳＢ（Universal Serial Bus）、シリアルＡＴＡ（AT Attachment）、ＳＰＩ（Serial Peripheral Interface）バス、ＰＣＩ（Peripheral Component Interconnect）バス、ＰＣＩ−Ｅｘｐｒｅｓｓバス、及びＬＰＣ（Low Pin Count）バスなどのコントローラを備えており複数のデバイスが接続される。図２では、デバイスの例示として、ＢＩＯＳメモリ２１と、ＳＳＤ２２と、ＵＳＢコネクタ２３と、オーディオシステム２４と、ビデオシステム２８と、ＷＬＡＮカード３０と、ＥＣ３１とが、チップセット２０に接続されている。
【００２７】
ＢＩＯＳ（Basic Input Output System：基本入出力システム）メモリ２１は、例えば、ＥＥＰＲＯＭ（Electrically Erasable Programmable Read Only Memory）やフラッシュＲＯＭなどの電気的に書き換え可能な不揮発性メモリで構成される。ＢＩＯＳメモリ２１は、ＢＩＯＳ、及びＥＣ３１などを制御するためのシステムファームウェアなどを記憶する。
【００２８】
ＳＳＤ（Solid State Drive）２２は、ＯＳ、各種デバイスドライバ、各種サービス／ユーティリティ、アプリケーション、及び各種データを記憶する。ＳＳＤ２２は、例えば、ＯＳとして、例えば、Ｗｉｎｄｏｗｓ１０（Ｗｉｎｄｏｗｓは登録商標）等を記憶する。また、ＳＳＤ２２には、会議システム１００のアプリケーションソフトウェアとして、Ｓｋｙｐｅ  ｆｏｒ  Ｂｕｓｉｎｅｓｓ（Ｓｋｙｐｅは登録商標）、又はＺｏｏｍ（登録商標）などがインストールされる。
【００２９】
ＵＳＢコネクタ２３（外部インターフェース部の一例）は、ＵＳＢを利用した周辺機器類を接続するためのコネクタである。ＵＳＢコネクタ２３に接続される周辺機器は、例えば、キーボード、マウス、ＵＳＢカメラなどである。
【００３０】
オーディオシステム２４は、音データの記録、再生、出力を行う。オーディオシステム２４は、例えば、接続されたマイク２５から音データを取得し、チップセット２０に出力する。また、オーディオシステム２４は、チップセット２０から出力された、例えば、音声を含む可聴域の音信号を、接続された音声スピーカ２６に出力する。また、オーディオシステム２４は、チップセット２０から出力された音信号を、接続された音波スピーカ２７に出力する。
【００３１】
マイク２５は、会議システム１００において、利用者の声を収音し、オーディオシステム２４を介して、チップセット２０に出力する。
音声スピーカ２６（音声出力部の一例）は、例えば、コーン型のスピーカであり、主に、利用者の音声を含む可聴域の音を出力する。
【００３２】
音波スピーカ２７（音波出力部の一例）は、例えば、平板型のスピーカであり、後述するＰＩＮ（Personal Identification Number）を変換した音波を出力する。なお、本実施形態においては、「音波」とは、「可聴音」及び「非可聴音（超音波）」を含む概念である。そのうち、通常の可聴域用のマイク及びスピーカが適用可能であり、音として耳に感じない周波数である１８ｋＨｚ（キロヘルツ）から２０ｋＨｚの可聴域の音であることが特に好ましい。
【００３３】
ビデオシステム２８は、画像表示に関連する機能を実現するためのシステムであり、ビデオコントローラを含んでいる。このビデオコントローラは、ＣＰＵ１１からの描画命令を処理し、処理した描画情報をビデオメモリに書き込むとともに、ビデオメモリからこの描画情報を読み出して、ビデオ入出力部２９を介して、表示データとして出力する。また、ビデオシステム２８は、ビデオ入出力部２９を介して、外部からの表示データを取得する。
【００３４】
ビデオ入出力部２９は、例えば、ＨＤＭＩ（High-Definition Multimedia Interface：ＨＤＭＩは登録商標）などの外部入力用、及び外部出力用の表示ポートである、ビデオ入出力部２９は、外部から表示データを取得する場合、及び、外部モニタなどに表示データを表示させる場合に利用される。なお、本実施形態では、ビデオ入出力部２９には、外部モニタとして、共有表示装置２が接続される。
【００３５】
ＷＬＡＮ（Wireless Local Area Network）カード３０は、ワイヤレス（無線）ＬＡＮにより、ネットワークＮＷ１に接続して、データ通信を行う。ＷＬＡＮカード３０は、例えば、ネットワークＮＷ１を経由して各種装置（例えば、端末装置４、後述する相手先装置５、及び管理サーバ６など）とデータ通信を行う。
【００３６】
ＥＣ（エンベデッドコントローラ）３１は、会議装置１のシステム状態に関わらず、各種デバイス（周辺装置やセンサ等）を監視し制御するワンチップマイコン（One-Chip Microcomputer）である。また、ＥＣ３１は、電源回路３３を制御する電源管理機能を有している。なお、ＥＣ３１は、不図示のＣＰＵ、ＲＯＭ、ＲＡＭなどで構成されるとともに、複数チャネルのＡ／Ｄ入力端子、Ｄ／Ａ出力端子、タイマ、及びデジタル入出力端子を備えている。ＥＣ３１には、それらの入出力端子を介して、例えば、スイッチ部３２、及び電源回路３３などが接続されており、ＥＣ３１は、これらの動作を制御する。
【００３７】
スイッチ部３２は、例えば、電源スイッチ、リセットスイッチなどの各種制御スイッチである。
電源回路３３は、例えば、ＤＣ／ＤＣコンバータ、充放電ユニット、電池ユニット、ＡＣ／ＤＣアダプタなどを含んでおり、ＡＣ／ＤＣアダプタ、又は電池ユニットから供給される直流電圧を、会議装置１を動作させるために必要な複数の電圧に変換する。また、電源回路３３は、ＥＣ３１からの制御に基づいて、会議装置１の各部に電力を供給する。また、電源回路３３は、例えば、スリープモードなどのパワーダウンモード（低消費電力モード）の際に、モードに応じて、部分的に電力の供給を停止する。
【００３８】
次に、図３を参照して、本実施形態による会議システム１００の詳細な構成について説明する。
図３は、本実施形態による会議システム１００の一例を示す機能ブロック図である。
【００３９】
図３に示すように、会議システム１００は、会議装置１と、端末装置４と、相手先装置５と、管理サーバ６とを備え、会議装置１と、端末装置４と、相手先装置５と、管理サーバ６とのそれぞれは、ネットワークNW1を介して、相互に接続可能である。
【００４０】
なお、この図において、会議装置１と、端末装置４とは、利用者とともに、会議室ＭＲ１に存在するものとする。
相手先装置５は、会議システム１００を利用して会議を行う相手先の装置であり、例えば、ノートＰＣなどの端末装置である。相手先装置５は、例えば、相手先の会議室である相手先会議室ＭＲ２に配置されているものとする。
【００４１】
管理サーバ６は、会議装置１の各種管理を行うサーバ装置であり、例えば、会議装置１を管理するとともに、ＰＩＮを生成して、会議装置１に提供する。管理サーバ６は、例えば、会議装置１の要求に応じて、各会議装置１ごとに重複しないＰＩＮ（装置識別情報の一例）を生成し、生成したＰＩＮを、ネットワークＮＷ１を介して、会議装置１に送信する。ここで、ＰＩＮは、例えば、会議装置１を識別する装置識別情報であり、所定の長さの文字列である。また、管理サーバ６は、会議システム１００を利用した会議のスケジュールなどを管理する。
【００４２】
なお、図３に示す例では、１台の会議装置１がネットワークＮＷ１を介して接続されている例を記載しているが、管理サーバ６は、複数の会議装置１を管理するものとする。
また、管理サーバ６は、ＮＷ（ネットワーク）通信部６１と、サーバ記憶部６２と、サーバ制御部６３とを備える。
【００４３】
ＮＷ通信部６１は、例えば、有線通信を利用してネットワークＮＷ１に接続し、ネットワークＮＷ１を介して各種通信を行う。ＮＷ通信部６１は、ネットワークＮＷ１を介して、主に会議装置１と通信する。
サーバ記憶部６２は、管理サーバ６が利用する各種データを記憶する。サーバ記憶部６２は、会議装置１の管理データや、会議のスケジュール情報、生成したＰＩＮなどを記憶する。
【００４４】
サーバ制御部６３は、例えば、不図示のＣＰＵ及びメモリにより実現される制御部であり、管理サーバ６を統括的に制御する。サーバ制御部６３は、会議装置１の管理処理、会議のスケジュールの管理処理、等を実行する。また、サーバ制御部６３は、ＰＩＮ生成部６３１を備える。
【００４５】
ＰＩＮ生成部６３１は、会議装置１に対応するＰＩＮを生成する。ＰＩＮ生成部６３１は、ＮＷ通信部６１を介して、会議装置１からのＰＩＮの生成要求に応じて、会議装置１に対応するＰＩＮを生成し、生成したＰＩＮをサーバ記憶部６２に記憶させる。また、ＰＩＮ生成部６３１は、生成したＰＩＮをミーティングＩＤとして、ＰＩＮの生成要求を送信した会議装置１にＮＷ通信部６１を介して送信する。
【００４６】
会議装置１は、例えば、マイク２５と、音声スピーカ２６と、音波スピーカ２７と、ＮＷ通信部５１と、表示制御部５２と、会議制御部５３とを備える。
ＮＷ通信部５１と、表示制御部５２と、会議制御部５３とは、上述した図２に示すハードウェア構成により実現される機能部である。
【００４７】
ＮＷ通信部５１は、例えば、ＷＬＡＮカード３０と、ＣＰＵ１１、メインメモリ１２、及びチップセット２０と、ＳＳＤ２２が記憶するデバイスドライバとによって実現される機能部である。ＮＷ通信部５１は、例えば、無線ＬＡＮ通信を利用してネットワークＮＷ１に接続し、ネットワークＮＷ１を介して無線通信により各種通信を行う。
【００４８】
表示制御部５２は、例えば、ビデオシステム２８と、ＣＰＵ１１、メインメモリ１２、及びチップセット２０と、ＳＳＤ２２が記憶するデバイスドライバとによって実現される機能部である。表示制御部５２は、会議装置１にビデオ入出力部２９を介して接続されている共有表示装置２の表示を制御し、例えば、共有情報を共有表示装置２に表示させる。
【００４９】
会議制御部５３は、ＣＰＵ１１、メインメモリ１２と、ＳＳＤ２２が記憶する会議用のアプリケーション（プログラム）によって実現される機能部である。会議制御部５３は、会議システム１００による会議を行うための各種処理を実行する。会議制御部５３は、ＰＩＮ出力処理部５３１と、会議処理部５３２とを備える。
【００５０】
ＰＩＮ出力処理部５３１（出力処理部の一例）は、自装置（会議装置１）を識別するＰＩＮを、音波に変換して、音波スピーカ２７から出力させる。ＰＩＮ出力処理部５３１は、例えば、ＮＷ通信部５１を介して、管理サーバ６に、自装置（会議装置１）に対応するＰＩＮの生成を要求し（ＰＩＮの生成要求を送信し）、管理サーバ６が生成したＰＩＮを取得する。ＰＩＮ出力処理部５３１は、取得したＰＩＮを、例えば、ＦＭ変調（周波数変調）により、音波に変換して、音波スピーカ２７から出力させる。
【００５１】
会議処理部５３２は、会議システム１００による会議を行うための処理を実行する。ネットワークＮＷ１を介して相手先装置５から取得した音信号に基づく音を、音声スピーカ２６から出力させる。すなわち、会議処理部５３２は、会議室ＭＲ１と、相手先会議室ＭＲ２との間の会議において、相手先会議室ＭＲ２の利用者の発した音声を、相手先装置５及びＮＷ通信部５１を介して音信号として取得し、当該音信号に基づく音を、音声スピーカ２６から出力させる。
【００５２】
また、会議処理部５３２は、端末装置４から取得した情報をネットワークＮＷ１を介して相手先装置５に送信するとともに、取得した情報を共有情報として、共有表示装置２に表示させる。なお、会議処理部５３２は、表示制御部５２に対して、共有情報を共有表示装置２に表示させる。
また、会議処理部５３２は、マイク２５が収音した会議の音声（例えば、会議室ＭＲ１の音）を、ネットワークＮＷ１を介して相手先装置５に送信する。
【００５３】
また、会議処理部５３２は、ネットワークＮＷ１を介して相手先装置５から送信された共有情報を、共有表示装置２に表示させる。また、会議処理部５３２は、ネットワークＮＷ１を介して相手先装置５から送信された音信号（例えば、相手先会議室ＭＲ２の音信号）に基づく音を、音声スピーカ２６から出力させる。
【００５４】
端末装置４は、ＮＷ通信部４１と、入力部４２と、表示部４３と、マイク４４と、端末制御部４５とを備える。
ＮＷ通信部４１は、例えば、無線ＬＡＮ通信を利用してネットワークＮＷ１に接続し、ネットワークＮＷ１を介して無線通信により各種通信を行う。ＮＷ通信部４１は、ネットワークＮＷ１を介して、主に会議装置１と通信を行う。
【００５５】
入力部４２は、例えば、キーボードやタッチパネル、マウスなどの入力デバイスであり、利用者からの各種情報（例えば、操作情報や入力情報など）を受け付ける。
表示部４３は、例えば、液晶ディスプレイなどの表示装置であり、各種情報を表示する。表示部４３は、例えば、会議の資料などの共有情報を表示する。
【００５６】
マイク４４（収音部の一例）は、音波スピーカ２７から出力された音波を収音する。なお、上述したように、ここでの音波は、１８ｋＨｚから２０ｋＨｚの可聴域の音であるため、マイク４４は、可聴域の音を収音するマイクを用いることができる。
端末制御部４５は、例えば、不図示のＣＰＵ及びメモリにより実現される制御部であり、端末装置４を統括的に制御する。端末制御部４５は、接続処理部４５１と、表示処理部４５２と、フィルタ部４５３とを備える。
【００５７】
接続処理部４５１は、マイク４４が音波を収音した音信号からＰＩＮを抽出し、抽出したＰＩＮに基づいて、端末装置４を会議装置１に、無線通信により接続させる。すなわち、接続処理部４５１は、会議装置１の音波スピーカ２７から出力された、ＰＩＮを変換した音波をマイク４４が収音した音信号を取得し、当該音信号に含まれるＰＩＮを抽出する。接続処理部４５１は、抽出したＰＩＮを用いて、ＮＷ通信部４１を介して、無線ＬＡＮ通信により、会議室ＭＲ１にある会議装置１に接続する。
【００５８】
表示処理部４５２は、表示部４３に各種情報を表示する制御を行う。表示処理部４５２は、会議システム１００によって会議が行われ、会議装置１と端末装置４とが接続されている場合に、会議の資料などの共有情報を、表示部４３に表示させうとともに、ＮＷ通信部４１を介して、当該共有情報を会議装置１に出力して、共有表示装置２に共有情報を表示させる。
【００５９】
フィルタ部４５３は、マイク４４が収音した音信号からノイズを除去するフィルタリング処理を実行する。フィルタ部４５３のフィルタリング機能は、接続処理部４５１の制御によって、停止又は動作できるものとする。
なお、上述した接続処理部４５１は、端末装置４が、マイク４４が音波の音を収音した音信号からノイズを除去するフィルタ部４５３を備える場合に、マイク４４が音波を収音する所定の期間（例えば、２０秒間）、フィルタ部４５３の動作を停止させる。
【００６０】
次に、図４及び図５を参照して、会議装置１の音声スピーカ２６及び音波スピーカ２７の配置について説明する。
図４は、本実施形態における会議装置１の内部構成の一例を示す斜視図である。また、図５は、本実施形態における会議装置１のスピーカの配置例を示す図である。
図４及び図５に示す例は、会議装置１が、４つの音声スピーカ２６（２６−１、２６−２、２６−３、２６−４）と、２つの音波スピーカ２７（２７−１、２７−２）を備える場合の一例であり。
【００６１】
図４及び図５に示すように、会議装置１は、４つの音声スピーカ２６と、２つの音波スピーカ２７を内蔵している。音声スピーカ２６は、同心円上に配置されており、音声スピーカ２６−１及び音声スピーカ２６−２の組と、音声スピーカ２６−３及び音声スピーカ２６−４の組とに分けられ、各組が、円形の会議装置１の中心点に対象に配置されている。
【００６２】
また、図４及び図５に示すように、２つの音波スピーカ２７は、円形の会議装置１の中心点に対象に配置されており、１８０度ずらして配置されている。すなわち、複数（例えば、２つ）の音波スピーカ２７は、円周を複数（例えば、２つ）により均等（例えば、１８０度）に分割する円周上の位置に配置されている。また、音波スピーカ２７は、音声スピーカ２６よりも高い位置に配置されている。
【００６３】
次に、図６を参照して、本実施形態による会議装置１のオーディオシステム２４の構成について説明する。
図６は、本実施形態におけるオーディオシステム２４の構成例を示す図である。
図６に示すように、オーディオシステム２４の音波スピーカ２７の出力系統は、ＶＯＬ（VOLume）２４１、ＳＲＣ（Sample Rate Converter）２４２、ＤＡＣ（Digital to Analog Converter）２４３、及びスピーカアンプ２４４を備えている。
【００６４】
ＶＯＬ２４１は、音波の音信号の音量（ボリューム）を調整する。ＳＲＣ２４２は、音波の音信号のサンプルレートを後段のＤＡＣ２４３に合わせて変換する。また、ＤＡＣ２４３は、音波の音信号をアナログ信号に変換し、変換したアナログ信号を、スピーカアンプ２４４が増幅して、音波スピーカ２７に出力する。音波スピーカ２７は、スピーカアンプ２４４が出力する増幅されたアナログ信号を音に変換して、音波を出力する。なお、音波スピーカ２７の出力系統には、各種フィルタなどの音響効果の機能（エフェクト機能）を含めないように構成する。
【００６５】
また、オーディオシステム２４の音声スピーカ２６の出力系統は、ＶＯＬ２４５、バンドパスフィルタ２４６、ＳＲＣ２４７、ＤＡＣ２４８、及びスピーカアンプ２４９を備えている。ＶＯＬ２４５、ＳＲＣ２４７、ＤＡＣ２４８、及びスピーカアンプ２４９は、上述したＶＯＬ２４１、ＳＲＣ２４２、ＤＡＣ２４３、及びスピーカアンプ２４４と同様である。音声スピーカ２６の出力系統では、バンドパスフィルタ２４６を備えている点が、音声スピーカ２６の出力系統と異なる。
【００６６】
バンドパスフィルタ２４６は、主に人の声の帯域以外の周波数領域を、音信号から低減するフィルタリング処理を実行する。バンドパスフィルタ２４６は、例えば、３００Ｈｚから８ＫＨｚの周波数範囲の音信号を通過させて、当該周波数範囲以外の音信号のレベルを低減させるフィルタリング処理を実行する。ここで、音信号のレベルを低減させる周波数領域には、音波スピーカ２７からＰＩＮを含めて出力する音波の周波数領域が含まれる。すなわち、会議処理部５３２は、相手先装置５から取得した音信号に、バンドパスフィルタ２４６を用いて、音波の周波数領域を低減するフィルタリング処理を実行して、音声スピーカ２６から出力させる。
【００６７】
次に、図面を参照して、本実施形態による会議システム１００の動作について説明する。
図７は、本実施形態による会議システム１００の動作の一例を示す図である。ここでは、会議システム１００において、端末装置４が、会議装置１に接続し、共有情報を共有表示装置２に表示するまでの動作を説明する。また、この図において、端末装置４と会議装置１とは、同一の会議室（例えば、会議室ＭＲ１）において使用されているものとする。
【００６８】
図７に示すように、まず、会議装置１が、ＰＩＮ生成要求を管理サーバ６に送信する（ステップＳ１０１）。すなわち、会議装置１のＰＩＮ出力処理部５３１は、例えば、ＮＷ通信部５１を介して、自装置（会議装置１）に対応するＰＩＮの生成を要求（ＰＩＮ生成要求）を管理サーバ６に送信する。なお、ＰＩＮ出力処理部５３１は、自装置（会議装置１）が起動又は再起動された場合、及び新しい会議が開始された場合のいずれかの場合に、ＰＩＮ生成要求を管理サーバ６に送信する。
【００６９】
次に、管理サーバ６は、ＰＩＮを生成する（ステップＳ１０２）。管理サーバ６のＰＩＮ生成部６３１は、ＮＷ通信部６１を介して、会議装置１からのＰＩＮの生成要求に応じて、会議装置１に対応するＰＩＮを生成し、生成したＰＩＮをサーバ記憶部６２に記憶させる。なお、ＰＩＮ生成部６３１は、管理サーバ６が管理している複数の会議装置１のうちで、ＰＩＮが重複しないように、ＰＩＮを生成する。
【００７０】
次に、管理サーバ６は、ＰＩＮを会議装置１に送信する（ステップＳ１０３）。すなわち、ＰＩＮ生成部６３１は、ＮＷ通信部６１を介して、生成したＰＩＮを会議装置１に送信する。
【００７１】
次に、会議装置１は、ＰＩＮを音波に変換して、音波スピーカ２７から出力する（ステップＳ１０４）。ＰＩＮ出力処理部５３１は、ＮＷ通信部５１を介して、管理サーバ６からＰＩＮを取得し、取得したＰＩＮを、例えば、ＦＭ変調（周波数変調）により、音波に変換して、音波スピーカ２７から出力させる。
【００７２】
次に、端末装置４は、収音した音波からＰＩＮを抽出する（ステップＳ１０５）。端末装置４の接続処理部４５１は、会議装置１の音波スピーカ２７から出力された音波をマイク４４が収音した音波の音信号を取得し、当該音信号からＰＩＮを抽出する。接続処理部４５１は、周波数変調された音波の音信号を、復調してＰＩＮを抽出する。
【００７３】
次に、端末装置４は、ＰＩＮに基づく会議装置１との接続処理を実行する（ステップＳ１０６）。接続処理部４５１は、抽出したＰＩＮに基づいて、端末装置４を会議装置１に、無線通信により接続させる。すなわち、接続処理部４５１は、抽出したＰＩＮを用いて、ＮＷ通信部４１を介して、無線ＬＡＮ通信により、会議室ＭＲ１にある会議装置１に接続する。
【００７４】
次に、端末装置４は、共有情報を会議装置１に送信する（ステップＳ１０７）。すなわち、端末装置４の表示処理部４５２は、会議の資料などの共有情報を、自装置（端末装置４）の表示部４３に表示させるとともに、ＮＷ通信部４１を介して、当該共有情報を、会議装置１に送信する。
【００７５】
次に、会議装置１は、共有情報を共有表示装置２に表示させる（ステップＳ１０８）。すなわち、会議装置１の会議処理部５３２は、ＮＷ通信部５１を介して端末装置４から「受信した共有情報を、表示制御部５２に共有表示装置２に出力させて、当該共有情報を共有表示装置２に表示させる。
【００７６】
次に、図８を参照して、上述した端末装置４が、会議装置１に接続する処理における、端末装置４の詳細な処理について説明する。
図８は、本実施形態における端末装置４の動作の一例を示すフローチャートである。
【００７７】
図８において、端末装置４は、利用者によって、接続アプリケーションが実行されると、まず、接続ウインドウを表示する（ステップＳ２０１）。接続処理部４５１は、表示処理部４５２を用いて、接続アプリケーションの表示画面である接続ウインドウ（例えば、図９のウインドウＷＤ１）を、表示部４３に表示させる。
なお、図９〜図１１は、本実施形態における端末装置４の接続処理の表示例を示している。
【００７８】
図９に示すように、接続ウインドウＷＤ１には、「Meeting ID」としての手動でのＰＩＮの入力ウインドウ、「ディスプレイ名」の入力ウインドウ、及び“Ｃｏｎｎｅｃｔ”ボタンなどが表示されている。
【００７９】
次に、接続処理部４５１は、未修正取得音信号の検出を開始する（ステップＳ２０２）。接続処理部４５１は、例えば、マイク４４による未修正取得音信号の検出を開始させる。ここで、未修正取得音信号とは、マイク４４が収音する生の音信号であり、フィルタリング機能などで加工されていない音信号である。
【００８０】
次に、接続処理部４５１は、未修正取得音信号の出力が存在するか否かを判定する（ステップＳ２０３）。接続処理部４５１は、端末装置４が内蔵しているビデオシステムに、未修正取得音信号を直接、取得できる出力系統があるか否かを判定する。接続処理部４５１は、未修正取得音信号の出力が存在する場合（ステップＳ２０３：ＹＥＳ）に、処理をステップＳ２０４に進める。また、接続処理部４５１は、未修正取得音信号の出力が存在しない場合（ステップＳ２０３：ＮＯ）に、処理をステップＳ２１１に進める。
【００８１】
ステップＳ２０４において、接続処理部４５１は、マイク４４が収音した生信号の取得を開始する。
次に、接続処理部４５１は、ＰＩＮを受信したか否かを判定する（ステップＳ２０５）。接続処理部４５１は、取得した未修正取得音信号から音波の周波数変調を復調して正常なＰＩＮが抽出できたか否かを判定する。接続処理部４５１は、ＰＩＮを受信した（正常なＰＩＮが抽出できた）場合（ステップＳ２０５：ＹＥＳ）に、処理をステップＳ２０６に進める。また、接続処理部４５１は、ＰＩＮを受信していない（正常なＰＩＮが抽出できていない）場合（ステップＳ２０５：ＮＯ）に、処理をステップＳ２０５に戻す。
【００８２】
ステップＳ２０６において、接続処理部４５１は、“Ｊｏｉｎ”（参加）ボタンＢＴ１（例えば、図１０参照）をに表示する。すなわち、接続処理部４５１は、表示処理部４５２を用いて、図１０に示すように、接続ウインドウＷＤ１に“Ｊｏｉｎ”ボタンＢＴ１を表示させる。
【００８３】
次に、利用者によって、“Ｊｏｉｎ”ボタンＢＴ１がクリックされると、接続処理部４５１は、未修正取得音信号の取得を停止する（ステップＳ２０７）。
次に、接続処理部４５１は、ＰＩＮにより会議装置１と接続する（ステップＳ２０８）。接続処理部４５１は、抽出したＰＩＮを用いて、ＮＷ通信部４１を介して、無線ＬＡＮ通信により、会議室ＭＲ１にある会議装置１に接続する。なお、接続処理部４５１は、図１１に示すような接続ウインドウＷＤ１を表示部４３に表示させる。
【００８４】
図１１に示す接続ウインドウＷＤ１において、ＰＩＮの入力ウインドウＷＤ２には、音波を用いて会議装置１から取得したＰＩＮが表示され、接続状態（接続中）を示す記述が表示される。
【００８５】
次に、接続処理部４５１は、接続ウインドウＷＤ１が前面表示に変更されたか否かを判定する（ステップＳ２０９）。接続処理部４５１は、接続ウインドウＷＤ１が、表示部４３の表示画面の中で、例えば、利用者により入力部４２により指定されて、最前列に変更されるか否かを判定する。接続処理部４５１は、接続ウインドウＷＤ１が前面表示に変更された場合（ステップＳ２０９：ＹＥＳ）に、処理をステップＳ２１０に進める。また、接続処理部４５１は、接続ウインドウＷＤ１が前面表示に変更されていない場合（ステップＳ２０９：ＮＯ）に、処理をステップＳ２０９に戻す。
【００８６】
また、ステップＳ２１０において、接続処理部４５１は、会議装置１と接続中であるか否かを判定する。すなわち、接続処理部４５１は、自装置（端末装置４）と会議装置１とが接続状態であるか否かを判定する。接続処理部４５１は、会議装置１と接続中である場合（ステップＳ２１０：ＹＥＳ）に、処理をステップＳ２０９に戻す。また、接続処理部４５１は、会議装置１と接続中でない場合（ステップＳ２１０：ＮＯ）に、処理をステップＳ２０２に戻す。
【００８７】
また、ステップＳ２１１において、接続処理部４５１は、マイク４４のフィルタ機能を無効化する。この場合、接続処理部４５１は、未修正取得音信号の出力を直接取得できないため、フィルタ部４５３によるフィルタリング機能を無効化する。
次に、接続処理部４５１は、未修正取得音信号の取得を開始する（ステップＳ２１２）。ここでは、接続処理部４５１は、フィルタ部４５３によるフィルタリング機能を無効化することで、音波の未修正取得音信号を取得することができる。
【００８８】
ステップＳ２１３において、ステップＳ２０５と同様に、ＰＩＮを受信したか否かを判定する。接続処理部４５１は、ＰＩＮを受信した（正常なＰＩＮが抽出できた）場合（ステップＳ２１３：ＹＥＳ）に、処理をステップＳ２１４に進める。また、接続処理部４５１は、ＰＩＮを受信していない（正常なＰＩＮが抽出できていない）場合（ステップＳ２１３：ＮＯ）に、処理をステップＳ２１７に進める。
【００８９】
続く、ステップＳ２１４及びステップＳ２１５の処理は、上述したステップＳ２０６及びステップＳ２０７の処理と同様であるため、ここではその説明を省略する。
ステップＳ２１６において、接続処理部４５１は、マイク４４のフィルタ機能を有効化する。ステップＳ２１６の処理後に、接続処理部４５１は、処理をステップＳ２０８に進める。
【００９０】
また、ステップＳ２１７において、接続処理部４５１は、２０秒間経過したか否かを判定する。すあわち、接続処理部４５１は、フィルタ機能を停止して未修正取得音信号の取得を開始してから、所定に期間として２０秒間経過したか否かを判定する。接続処理部４５１は、２０秒間経過した場合（ステップＳ２１７：ＹＥＳ）に、処理をステップＳ２１８に進める。また、接続処理部４５１は、２０秒間経過していない場合（ステップＳ２１７：ＮＯ）に、処理をステップＳ２１３に戻す。
【００９１】
また、ステップＳ２１８及びステップＳ２１９の処理は、上述したステップＳ２１５及びステップＳ２１６の処理と同様であるためここではその説明を省略する。なお、ステップＳ２１９の処理後に、接続処理部４５１は、処理をステップＳ２０８に進める。
【００９２】
次に、図１２を参照して、本実施形態による会議システム１００の情報共有の表示例について説明する。
図１２は、本実施形態による会議システム１００の情報共有の表示例を示す図である。
【００９３】
図１２に示す例では、会議システム１００は、３台の端末装置４（４−１、４−２、４−３）を備えている。
端末装置４−１、端末装置４−２、及び端末装置４−３と、会議装置１とは、同一の会議室（例えば、会議室ＭＲ１）に存在し、端末装置４−１及び端末装置４−２と、会議装置１とは、無線通信を利用してネットワークＮＷ１を介して接続されている。また、端末装置４−３は、例えば、会議装置１のビデオ入出力部２９を介して、会議装置１と有線により接続されている。
【００９４】
会議装置１は、各端末装置４から取得した画面を、共有表示装置２の表示画面Ｇ２に表示させる。例えば、共有表示装置２の表示画面Ｇ２において、画面Ｇ２１は、端末装置４−１が表示している画面に対応する。また、画面Ｇ２２は、端末装置４−２が表示している画面に対応する。また、画面Ｇ２３は、端末装置４−３が表示している画面に対応する。
【００９５】
以上説明したように、本実施形態による会議システム１００は、共有情報を出力可能な会議装置１（電子機器）と、端末装置４とを備える。会議装置１は、音波スピーカ２７（音波出力部）と、ＰＩＮ出力処理部５３１（出力処理部）とを備える。音波スピーカ２７は、音波を出力する。ＰＩＮ出力処理部５３１は、自装置（会議装置１）を識別するＰＩＮ（装置識別情報）を、音波に変換して、音波スピーカ２７から出力させる。端末装置４は、マイク４４（収音部）と、接続処理部４５１とを備える。マイク４４は、音波スピーカ２７から出力された音波を収音する。接続処理部４５１は、マイク４４が音波を収音した音信号からＰＩＮを抽出し、抽出したＰＩＮに基づいて、端末装置４を会議装置１に、無線通信により接続させる。
【００９６】
これにより、本実施形態による会議システム１００では、端末装置４を会議装置１に接続する場合に、接続先の指定に必要なＰＩＮを音波により会議装置１から端末装置４に送信するので、例えば、接続先を手動で指定して接続する必要がなく、端末装置４の接続を簡便に行うことができる。すなわち、本実施形態による会議システム１００では、端末装置４を自動で会議装置１に接続することができる。
【００９７】
また、音（音波）は、会議室の壁を通過しないため、音（音波）を利用してＰＩＮを端末装置４に送信することで、例えば、Bluetooth（登録商標）などの無線通信を利用する場合のように、隣の会議室に配置された会議装置１のＰＩＮを誤って端末装置４が受信してしまうことがない。よって、本実施形態による会議システム１００では、例えば、隣の会議室の会議装置１に接続してしまう、等の誤接続を低減することができる。
【００９８】
また、本実施形態では、会議システム１００は、共有情報を表示する共有表示装置２をさらに備える。会議装置１は、音声スピーカ２６（音声出力部）と、会議処理部５３２とをさらに備える。音声スピーカ２６は、音波スピーカ２７から独立して設けられ、音声を含む可聴域の音を出力する。会議処理部５３２は、ネットワークＮＷ１を介して相手先装置５から取得した音信号に基づく音を、音声スピーカ２６から出力させるとともに、端末装置４から取得した情報をネットワークＮＷ１を介して相手先装置５に送信し、取得した情報を共有情報として、共有表示装置２に表示させる。
これにより、本実施形態による会議システム１００では、ネットワークＮＷ１を介して相手先装置５を用いて会議を行うことができる。よって、本実施形態による会議システム１００は、利便性を向上させることができる。
【００９９】
また、本実施形態では、会議処理部５３２は、相手先装置５から取得した音信号に、音波の周波数領域（例えば、１８ＫＨｚ以上の領域）を低減するフィルタリング処理を実行して、音声スピーカ２６から出力させる。
これにより、本実施形態による会議システム１００では、相手先装置５から取得した音信号の音によって、音波が混信や鑑賞などの影響を受けることを低減することができ、安定して、端末装置４を会議装置１に接続することができる。
【０１００】
また、本実施形態では、会議装置１は、複数の音波スピーカ２７（例えば、２つの音波スピーカ２７）を備える。複数の音波スピーカ２７は、円周を複数により均等（例えば、１８０度間隔）に分割する円周上の位置に配置されている。
これにより、本実施形態による会議システム１００では、会議装置１の全方位に、均等に音波を出力することができ、さらに安定して、端末装置４を会議装置１に接続することができる。
【０１０１】
また、本実施形態では、音波は、音として耳に感じない周波数である１８ｋＨｚから２０ｋＨｚあることが好ましい。
これにより、本実施形態による会議システム１００では、音波スピーカ２７及びマイク４４に、通常の可聴域用のものを使用することができ、高価な超音波用の音波スピーカ２７及びマイク４４を使用する必要がない。よって、本実施形態による会議システム１００では、部品のコストを低減することができる。また、本実施形態による会議システム１００では、従来のマイク４４をそのままでき、端末装置４のハードウェアとして、特別な部品（例えば、超音波用のマイクなど）を組み込む必要がない。
【０１０２】
また、本実施形態では、音波スピーカ２７は、平板型のスピーカである。
これにより、本実施形態による会議システム１００では、コーン型のスピーカに比べて、平板型のスピーカは、可聴域の高周波数領域（疑似超音波領域）を出力し易く、且つ、広角度に安定して、音波（疑似超音波）を出力することができる。
【０１０３】
また、本実施形態では、接続処理部４５１は、端末装置４が、マイク４４が音波を収音した音信号からノイズを除去するフィルタ部４５３を備える場合に、マイク４４が音波を収音する所定の期間（例えば、２０秒間）、フィルタ部４５３の動作を停止させる。
これにより、本実施形態による会議システム１００では、端末装置４が、マイク４４のノイズ除去などによって、音波を正確に受信（収音）できないリスクを低減することができる。
【０１０４】
また、本実施形態では、会議装置１は、自装置（会議装置１）が起動又は再起動された場合、及び新しい会議が開始された場合の少なくともいずれかの場合に、ＰＩＮを変更する。
これにより、本実施形態による会議システム１００では、毎回、ＰＩＮの変更するので、セキュリティを向上させることができる。
【０１０５】
また、本実施形態では、ＰＩＮは、会議装置１を管理する管理サーバ６によって、重複しないように生成される。会議装置１は、管理サーバからＰＩＮを取得する。
これにより、本実施形態による会議システム１００は、例えば、ＰＩＮが重複して、隣の会議室の会議装置１などに誤接続してしまうことを低減することができる。
【０１０６】
また、本実施形態では、音波スピーカ２７は、音声スピーカ２６よりも高い位置に配置されている。
これにより、本実施形態による会議システム１００では、ＰＩＮを含む音波をより遠くに出力することができ、広い会議室に対応することができる。
【０１０７】
また、本実施形態による会議装置１（電子機器）は、音波スピーカ２７と、ＰＩＮ出力処理部５３１とを備える。音波スピーカ２７は、音波を出力する。ＰＩＮ出力処理部５３１は、自装置（会議装置１）を識別するＰＩＮ（装置識別情報）を、音波に変換して、音波スピーカ２７から出力させる。そして、会議装置１は、音波を収音した音信号から抽出したＰＩＮに基づいて、端末装置４（外部装置）によって無線通信により接続される。
これにより、本実施形態による会議装置１は、上述した会議システム１００と同様の効果を奏し、端末装置４の接続を簡便に行うことができる。
【０１０８】
また、本実施形態による接続方法は、会議装置１（電子機器）と、端末装置４（外部装置）との間の接続方法であって、出力ステップと、接続ステップとを含む。出力ステップにおいて、会議装置１が、自装置を識別するＰＩＮを、音波に変換して、音波スピーカ２７から出力させる。接続ステップにおいて、端末装置４が、音波をマイク４４（収音部）によって収音した音信号からＰＩＮを抽出し、抽出したＰＩＮに基づいて、端末装置４を会議装置１に、無線通信により接続させる。
これにより、本実施形態による接続方法は、上述した会議システム１００及び会議装置１と同様の効果を奏し、端末装置４の接続を簡便に行うことができる。
【０１０９】
なお、本発明は、上記の実施形態に限定されるものではなく、本発明の趣旨を逸脱しない範囲で変更可能である。
例えば、上記の実施形態において、管理サーバ６がＰＩＮを生成する例を説明したが、会議装置１が、ＰＩＮを生成するようにしてもよい。
【０１１０】
また、上記の実施形態において、電子機器の一例として、会議装置１に適用する例を説明したが、これに限定されるものではなく、他の電子機器に適用してもよい。
また、上記の実施形態において、端末装置４は、ノートＰＣである例を説明したが、例えば、ＰＤＡ（Personal Digital Assistant）などの他の端末装置であってもよい。
【０１１１】
また、上記の実施形態において、音波が、可聴域を含む疑似超音波である例を説明したが、これに限定されるものではなく、可聴域外の超音波であってもよい。
また、上記の実施形態において、会議装置１は、会議室の大きさに応じて、出力する音波の音量を変更するようにしてもよい。
【０１１２】
また、上記の実施形態において、共有表示装置２は、液晶ディスプレイである例を説明したが、これに限定されるものではなく、例えば、プロジェクタなどの他の表示装置であってもよい。
【０１１３】
なお、上述した会議システム１００が備える各構成は、内部に、コンピュータシステムを有している。そして、上述した会議システム１００が備える各構成の機能を実現するためのプログラムをコンピュータ読み取り可能な記録媒体に記録して、この記録媒体に記録されたプログラムをコンピュータシステムに読み込ませ、実行することにより上述した会議システム１００が備える各構成における処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。
また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
【０１１４】
また、記録媒体には、当該プログラムを配信するために配信サーバからアクセス可能な内部又は外部に設けられた記録媒体も含まれる。なお、プログラムを複数に分割し、それぞれ異なるタイミングでダウンロードした後に会議システム１００が備える各構成で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【０１１５】
また、上述した機能の一部又は全部を、ＬＳＩ（Large Scale Integration）等の集積回路として実現してもよい。上述した各機能は個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【符号の説明】
【０１１６】
１  会議装置
２  共有表示装置
４、４−１、４−２、４−３  端末装置
５  相手先装置
６  管理サーバ
１１  ＣＰＵ
１２  メインメモリ
２０  チップセット
２１  ＢＩＯＳメモリ
２２  ＳＳＤ
２３  ＵＳＢコネクタ
２４  オーディオシステム
２５、４４  マイク
２６、２６−１、２６−２、２６−３、２６−４  音声スピーカ
２７、２７−１、２７−２  音波スピーカ
２８  ビデオシステム
２９  ビデオ入出力部
３０  ＷＬＡＮカード
３１  ＥＣ
３２  スイッチ部
３３  電源回路
４１、５１、６１  ＮＷ通信部
４２  入力部
４３  表示部
５２  表示制御部
５３  会議制御部
６２  サーバ記憶部
６３  サーバ制御部
１００  会議システム
２４１、２４５  ＶＯＬ
２４２、２４７  ＳＲＣ
２４３、２４８  ＤＡＣ
２４４、２４９  スピーカアンプ
２４６  バンドパスフィルタ
４５１  接続処理部
４５２  表示処理部
４５３  フィルタ部
５３１  ＰＩＮ出力処理部
５３２  会議処理部
６３１  ＰＩＮ生成部
ＭＲ１  会議室
ＭＲ２  相手先会議室
【図１】
2020137095.tif 000003
【図２】
2020137095.tif 000004
【図３】
2020137095.tif 000005
【図４】
2020137095.tif 000006
【図５】
2020137095.tif 000007
【図６】
2020137095.tif 000008
【図７】
2020137095.tif 000009
【図８】
2020137095.tif 000010
【図９】
2020137095.tif 000011
【図１０】
2020137095.tif 000012
【図１１】
2020137095.tif 000013
【図１２】
2020137095.tif 000014